(57)【要約】【課題】軸筒の後端に天冠を装着するに際して、この天冠により内部に螺着された芯金を支持しつつ、装着された後軸に対してがたついたりぐらついたりしないような天冠の固定構造を提供する。【解決手段】軸筒20の後端に天冠25が装着された筆記具10であって、前記天冠25の内側面に、所定の幅をもって対向して突出する１対の位置決め突起25aが形成され、前記軸筒20の後端において、前記位置決め突起25aに対応する箇所に設けられる位置決め切欠21cが設けられるとともに、前記位置決め突起25aは、その前記所定の幅を撓めるようにして前記位置決め切欠21cに挿入される。【選択図】図７
2014091239.tif 000002
【特許請求の範囲】
【請求項１】
軸筒の後端に天冠が装着された筆記具であって、
前記天冠の内側面に、所定の幅をもって対向して突出する１対の位置決め突起が形成され、
前記軸筒の後端において、前記位置決め突起に対応する箇所に設けられる位置決め切欠が設けられるとともに、
前記位置決め突起は、その前記所定の幅を撓めるようにして前記位置決め切欠に挿入されることを特徴とする筆記具。
【請求項２】
前記天冠には、前記軸筒の内部に収納される機構部分がネジ止めされて支持されることを特徴とする請求項１記載の筆記具。
【発明の詳細な説明】
【技術分野】
【０００１】
本発明は、軸筒の後端に天冠が装着された筆記具に関する。
【背景技術】
【０００２】
従来、筆記具の軸筒の後端の開口部を閉塞する目的で、天冠と称される部材がその開口部に装着されることがよく行われている。このような天冠にはしばしば、クリップのような外部に露出する構造物が一体に形成される（特許文献１及び２参照）。
また、このような天冠を内容物の送出機構あるいは繰出機構の後端部分を形成するものとする技術も開示されている（特許文献３及び４参照）。
【先行技術文献】
【特許文献】
【０００３】
【特許文献１】特開２０１２−１５２９１０号公報
【特許文献２】特開２０１２−１９２７３０号公報
【特許文献３】特開２０１２−１５７６１１号公報
【特許文献４】特開２０１１−７２４８８号公報
【発明の概要】
【発明が解決しようとする課題】
【０００４】
上述のような筆記具の天冠の内面側（すなわち、筆記先端側を向く面）の軸心にネジ孔を設けて、このネジ孔に、筆記具の機構部分を支持する部材（たとえば、「芯金」などと称される部材）を螺着することも行われている。このような場合、このような芯金を天冠のみで固定し、軸筒内部には他に特にこれを固定する構造を設けないようにしようとすると、芯金の先端側の揺れや振動に伴い、支持部材である天冠が後軸に対してがたつきやすくなる。このようながたつきにより天冠が後軸から外れたりすることがある。
このようながたつきを押さえるためには、天冠を後軸に対してリジッドに止める必要がある。そのためにはこれらを接着剤で固定するのも一つの方法である。しかし、後軸や天冠の材質によっては接着剤を適用しにくい場合もある。また、製造工程上の要請あるいは設計上の要請から、接着剤を使用したくない場合もある。
【０００５】
さらに、このような天冠が、後軸の後端を被覆するようにして装着されるような場合の固定方法の一つとして、その後軸の後端部分に突起あるいは突条のようなアンダーカット部分を設け、これを天冠の内面と嵌合させることも考えられる。しかしこの方法では金型成形上の制約からアンダーカット部分をあまり大きくすることができないため、天冠との嵌合力をあまり強くすることができない。これにより、嵌合した天冠を強く引っ張ると抜けてしまう、という問題点も想定される。
以上の問題点に鑑み、本発明は、天冠を後軸に装着するに際して、特にそのような天冠が内部の機構部分を支持するような場合に、天冠が後軸に対してがたついたりぐらついたりしないような天冠の固定構造を提供することを課題とする。
【課題を解決するための手段】
【０００６】
上記の課題に鑑み、本発明は、軸筒20の後端に天冠25が装着された筆記具10であって、
前記天冠25の内側面に、所定の幅をもって対向して突出する１対の位置決め突起25aが形成され、
前記軸筒20の後端において、前記位置決め突起25aに対応する箇所に設けられる位置決め切欠21cが設けられるとともに、
前記位置決め突起25aは、その前記所定の幅を撓めるようにして前記位置決め切欠21cに挿入されることを特徴とする。
すなわち、天冠25の内側面に一対の位置決め突起25aが設けられる。一方、この天冠25が装着される軸筒20の後端には、この位置決め突起25aに対応した切欠である位置決め切欠21cが設けられる。
【０００７】
これら位置決め突起25aの幅は、これが挿入される位置決め切欠21cの幅よりやや広く形成されていることで、これらが挿入される際、互いに近接するようにこれらが内方に撓められることになる。このように位置決め突起25aは内方に撓められた状態で位置決め切欠21cに挿入されることで、位置決め突起25aがその外方に復元しようとする力が位置決め切欠21cの両縁にかかる。この力によって天冠25が軸筒20に対してがたつくことが抑えられることとなっている。
なお、上記の天冠25の構造は、特に、前記軸筒20の内部に収納される機構部分がネジ止めされて支持されるような場合に適している。
【発明の効果】
【０００８】
本発明は、上述のように構成されており、位置決め突起間に間隙があるため、これらを撓めるようにして圧入されるように位置決め切欠に挿入されると、元に戻ろうとする力が位置決め切欠を押し拡げる方向に押さえつけることになる。その結果、天冠が後軸に対してがたつくことが抑えられる。
【図面の簡単な説明】
【０００９】
【図１】本発明の実施の形態に係る筆記具を（Ａ）正面図及び（Ｂ）側面図で示す。
【図２】本発明の実施の形態に係るスライド式複式筆記具を側面断面図で示す。
【図３】天冠が装着される軸筒の後端部分を拡大して正面図で示す。
【図４】天冠の内側面を後方斜視図で示す。
【図５】天冠の内側面を底面図で示す。
【図６】天冠の軸筒への装着前の状態を斜視図で示す。なお、天冠の一部を切り欠いて示している。
【図７】天冠の軸筒への装着後の状態を斜視図で示す。なお、天冠の一部を切り欠いて示している。
【発明を実施するための形態】
【００１０】
以下、本発明の１の実施の形態を図面を参照しつつ説明する。
本実施の形態に係る筆記具10は、図１に示すように、スライド式複式筆記具として構成されている。
この筆記具10の最外部を構成する軸筒20は、後端側を構成する後軸21と、この後軸21の先端側を被覆する中軸23と、この後軸21の先端側に装着される先軸22とで構成されている。この先軸22は、後軸21の先端内側に挿入される中ネジ管24を介してこの中ネジ管24の先端に螺着されている（図２参照）。
後軸21の後端には、図１に示すように、天冠25が装着される。また、後軸21の後端側外周には、軸方向に沿ったスライド溝21a（図１（Ｂ）参照）が３本、周方向に等配されている（図１（Ａ）参照）。これらスライド溝21aの各々に対し、ノック棒40が配設されている。ノック棒40の後端からはノック突起41がスライド溝21aから外方へ突出している。そして、正面位置のノック突起41にはクリップ43が装着されている。さらにこのクリップ43の後端には装飾部材44が嵌め込まれている。
【００１１】
軸筒20の内部には、図２に示すように、リフィル30として、１本のシャープペンシルユニット31と、２本のボールペンリフィル32とが収納されている。シャープペンシルユニット31は、リフィル管50の先端に外挿されて装着されている。一方、ボールペンリフィル32は、リフィル管50の先端に挿入されている。リフィル管50の後端側には、リフィル30の後方への復帰に寄与するスプリング52が外挿されている。さらに、リフィル管50の後端には、リフィル尾栓51が装着されている。リフィル尾栓51の後端部分の径はリフィル管50の外径より大きくなっており、この部分によってスプリング52の後端が支持されている。これら都合３本のリフィル管50は、後筒の内部に装着されるガイドスペーサ26に設けられるガイド孔26aによって前後の移動が誘導されている。
【００１２】
また、天冠25の先端側には芯金27が螺着されている。この芯金27の外周には回転カム機構28が備えられている。この回転カム機構28は、リフィル30の筆記位置での保持及びこの筆記位置からの後方への復帰に関与するものである。
ノック棒40の先端は、リフィル尾栓51の後端に接するものの、これとは分離している。すなわち、ノック棒40はリフィル尾栓51とは機械的な接続はされていない。また、ノック棒40の先端には、リフィル30の前後方向に直交する緩衝孔42が形成されている。
このノック棒40のノック突起41をスライド溝21aに沿って前方へスライドさせると、ノック棒40の先端がリフィル尾栓51を押圧し、これによりリフィル管50はスプリング52を収縮させつつガイド孔26aに沿って前方へ移動し、該当する筆記先端33が先軸22先端の開口部22aから突出する。そして、ノック棒40の一部が回転カム機構28と係合することで、筆記先端33が筆記位置に保持されることになる。
【００１３】
そして、この筆記位置から、そのノック棒40をさらに前方へスライドさせると、回転カム機構28との係合が解除される。そしてスプリング52の復元力によりリフィル尾栓51が後方へ移動し、それに伴いリフィル30全体も後方へ移動し、該当する筆記先端33は開口部22aの内部へ没入する。このとき、リフィル尾栓51によりノック棒40は後方へ押しやられることになる。しかし、リフィル尾栓51とノック棒40とは分離しているため、ノック棒40が元の位置に復帰する際の衝撃は、リフィル尾栓51には直接伝わらない。なお、この際の衝撃は、ノック棒40先端の緩衝孔42によって幾分緩衝される。
図３は、天冠25が装着される軸筒20の後端部分を拡大して示すものである。天冠25は上述のとおり、軸筒20を構成する後軸21の後端の、外径を減じて形成されている縮径部21bを被覆するようにして装着される。この縮径部21bの一箇所には切欠が設けられており、これを位置決め切欠21cと称する。
【００１４】
図４及び図５は、天冠25の内側面をそれぞれ後方斜視図及び底面図で示すものである。
天冠25の内側面のうち、位置決め切欠21cに対応する位置からは、内方に、一対の位置決め突起25aが突出している。この位置決め突起25aの間に間隙が設けられているのは、この部分が空間ではなく実質になっていて厚みを設けてしまうと射出成形時にこの厚み部分に樹脂が十分に充填されない（いわゆる、「ヒケ」という現象）という事態が起こりやすいため、これを回避することを目的としている。この位置決め突起25aの最外部の幅（図５中の「Ｗ１」）は、前記位置決め切欠21cの幅（図３中の「Ｗ２」）よりやや広く形成されている。また、天冠25の軸心部分には、前記芯金27の後端が螺合されるための雌ネジが切られているネジ孔25bが形成されている。なお、天冠25の内側面ににおいて位置決め切欠21cのある位置を含む３箇所には、内方にやや突出する内方突起25cが等間隔に設けられている。これは、天冠25の外周面に滑り止めないし装飾目的で設けられている外周溝25d（図１、図３、図４参照）を設けるための射出成形時の「ヒケ」を防止するとともに、縮径部21の外周を３方向から押し付けて天冠25の嵌合力を高めるための設計である。これらの内方突起25cは、同様に縮径部21の外周面に等配されている収容溝21d（図６参照）と対応してこれに収容されることになる。
【００１５】
この天冠25を軸筒20に装着する際には、図７に示すように、後軸21の縮径部21bにこれを被覆するようにして装着する。この際、上述のように、位置決め突起25aの幅Ｗ１は位置決め切欠21cの幅Ｗ２より大きいため、この幅Ｗ１を狭めて位置決め突起25aを内方に撓めるようにして挿入することになる。このようにして挿入することで、位置決め突起25aが外方に復元しようとする力が位置決め切欠21cの両縁にかかることになる。この力によって天冠25は軸筒20に対して確実に固定されることになる。さらに、ネジ孔25bに芯金27が螺着され、ノック操作の際にこの芯金27に振動などが加えられる場合にも、位置決め突起25aの復元力による天冠25の確実な固定により、軸筒20に対するがたつきが抑えられることとなっている。  
【産業上の利用可能性】
【００１６】
本発明は、軸筒の後端に天冠を装着される筆記具に利用可能である。
【符号の説明】
【００１７】
10  筆記具
20  軸筒                  21  後軸                  21a  スライド溝
21b  縮径部              21c  位置決め切欠          21d 収容溝
22  先軸                  22a  開口部                23  中軸
24  中ネジ管              25  天冠                  25a  位置決め突起
25b  ネジ孔              25c  内方突起              25d  外周溝
26  ガイドスペーサ        26a  ガイド孔
27  芯金                  28  回転カム機構
30  リフィル              31  シャープペンシルユニット
32  ボールペンリフィル    33  筆記先端
40  ノック棒              41  ノック突起            42  緩衝孔
43  クリップ              44  装飾部材
50  リフィル管            51  リフィル尾栓          52  スプリング
【図１】
2014091239.tif 000003
【図２】
2014091239.tif 000004
【図３】
2014091239.tif 000005
【図４】
2014091239.tif 000006
【図５】
2014091239.tif 000007
【図６】
2014091239.tif 000008
【図７】
2014091239.tif 000009